(57)【要約】      （修正有）【課題】携帯電話保護フィルム貼付用補助装置を提供する。【解決手段】位置決めフレーム本体１を備え、位置決めフレーム本体の外側フレームは保護フィルムを貼付する携帯電話の外側フレームの輪郭より大きく、位置決めフレーム本体の内側フレームは強化フィルムを貼付する外形の輪郭をフレーム内に収める。保護フィルムを貼付する場合、位置決めフレーム本体が携帯電話に置かれ、強化フィルムが位置決めフレーム本体の内側フレーム内に配置されて正確に貼付される。【選択図】図１
0003223694.tif 000002
【実用新案登録請求の範囲】
【請求項１】
位置決めフレーム本体を備え、位置決めフレーム本体の外側フレームは保護フィルムを貼付する携帯電話の外側フレームの輪郭よりも大きく、位置決めフレーム本体の内側フレームは強化フィルムを貼付する外形の輪郭をフレーム内に収め、保護フィルムを貼付する際に位置決めフレーム本体が携帯電話に置かれると共に位置決めフレーム本体の内側フレーム内に正確に保護フィルムが貼付されることを特徴とする携帯電話保護フィルム貼付用補助装置。
【請求項２】
位置決めフレーム本体には下部フレームが設けられ、下部フレームは携帯電話の外側フレームの上下左右のうちの少なくとも２つの方向に同時に貼付されることを特徴とする請求項１に記載の携帯電話保護フィルム貼付用補助装置。
【請求項３】
下部フレームは携帯電話の外側フレームの上下左右の四方向を全面的にカバーすることを特徴とする請求項２に記載の携帯電話保護フィルム貼付用補助装置。
【請求項４】
位置決めフレーム本体の上面の厚さは１ｍｍ未満であることを特徴とする請求項１に記載の携帯電話保護フィルム貼付用補助装置。
【請求項５】
位置決めフレーム本体の内側フレームが保護フィルムを貼付する携帯電話のカバープレートの輪郭に貼付される精度は０．１ｍｍ未満であることを特徴とする請求項１または４に記載の携帯電話保護フィルム貼付用補助装置。
【請求項６】
位置決めフレーム本体の内面にはパッドが設けられることを特徴とする請求項１に記載の携帯電話保護フィルム貼付用補助装置。
【請求項７】
位置決めフレーム本体には、位置決めフレーム本体の上端に位置すると共に逃がし穴が必要な範囲をカバーする第一の逃がし穴部が更に設けられることを特徴とする請求項１に記載の携帯電話保護フィルム貼付用補助装置。
【請求項８】
第一の逃がし穴部及び位置決めフレーム本体はフレキシブルに接続されることを特徴とする請求項７に記載の携帯電話保護フィルム貼付用補助装置。
【請求項９】
位置決めフレーム本体には、位置決めフレーム本体の下端に位置すると共に逃がし穴が必要なボタンの範囲をカバーする第二の逃がし穴部が更に設けられることを特徴とする請求項１に記載の携帯電話保護フィルム貼付用補助装置。
【請求項１０】
第二の逃がし穴部及び位置決めフレーム本体はフレキシブルに接続されることを特徴とする請求項９に記載の携帯電話保護フィルム貼付用補助装置。
【考案の詳細な説明】
【技術分野】
【０００１】
本考案は、携帯電話のアクセサリー分野に関し、より詳しくは、携帯電話保護フィルム貼付用補助装置に関する。
【背景技術】
【０００２】
携帯電話保護フィルムは携帯電話装飾フィルムとも呼ばれ、携帯電話本体の表面、画面、及び他の部分を装飾するコールドフィルムである。
【考案の概要】
【考案が解決しようとする課題】
【０００３】
しかしながら、従来の携帯電話保護フィルムの貼付作業は面倒であった。正確な位置に貼付するのが難しく、保護フィルムを無駄にしたり、携帯電話の美観を損ねることもあった。
【０００４】
そこで、本考案者は上記の欠点が改善可能と考え、鋭意検討を重ねた結果、合理的設計により上記の課題を効果的に改善する本考案の提案に至った。
【０００５】
かかる従来の実情に鑑みて、本考案は、保護フィルムが正確に貼付されるように補助する携帯電話保護フィルム貼付用補助装置を提供することを目的とする。
【課題を解決するための手段】
【０００６】
上記課題を解決するために、本考案のある態様の携帯電話保護フィルム貼付用補助装置は、位置決めフレーム本体を備え、位置決めフレーム本体の外側フレームは保護フィルムを貼付する携帯電話の外側フレームの輪郭よりも大きく、位置決めフレーム本体の内側フレームは強化フィルムを貼付する外形の輪郭をフレーム内に収め、保護フィルムを貼付する際に位置決めフレーム本体が携帯電話に置かれると共に位置決めフレーム本体の内側フレーム内に正確に保護フィルムが貼付される。
【０００７】
上記の技術方案において、位置決めフレーム本体には下部フレームが設けられ、下部フレームは携帯電話の外側フレームの上下左右のうちの少なくとも２つの方向に同時に貼付され、位置決めフレーム本体を確実に位置決めさせる。
【０００８】
上記の技術方案において、下部フレームは携帯電話の外側フレームの上下左右の四方向を全面的にカバーし、位置決めフレーム本体の位置決め効果を高める。
【０００９】
上記の技術方案において、位置決めフレーム本体の上面の厚さは１ｍｍ未満であり、位置決めフレーム本体の内側フレーム内で保護フィルムを正確に貼付可能にする。
【００１０】
上記の技術方案において、位置決めフレーム本体の内側フレームが保護フィルムを貼付する携帯電話のカバープレートの輪郭に貼付される精度は０．１ｍｍ未満であり、位置決めフレーム本体の内側フレーム内で保護フィルムを正確に貼付可能にする。
【００１１】
上記の技術方案において、位置決めフレーム本体の内面にはパッドが設けられ、携帯電話の表面が摩耗するのを防ぐ。
【００１２】
上記の技術方案において、位置決めフレーム本体には、位置決めフレーム本体の上端に位置すると共に逃がし穴が必要な範囲をカバーする第一の逃がし穴部が更に設けられる。逃がし穴の範囲に貼付する必要がない場合でも、位置決めを正確にする。
【００１３】
上記の技術方案において、第一の逃がし穴部及び位置決めフレーム本体はフレキシブルに接続され、反転させて第一の逃がし穴部を調整可能である。
【００１４】
上記の技術方案において、位置決めフレーム本体には、位置決めフレーム本体の下端に位置すると共に逃がし穴が必要なボタンの範囲をカバーする第二の逃がし穴部が更に設けられる。あるボタンの範囲に貼付する必要がない場合でも、位置決めを正確にする。
【００１５】
上記の技術方案において、第二の逃がし穴部及び位置決めフレーム本体はフレキシブルに接続され、反転させて第二の逃がし穴部を調整可能である。
【考案の効果】
【００１６】
本考案によれば、以下の効果を奏する。
本考案に係る携帯電話保護フィルム貼付用補助装置は、位置決めフレーム本体を有する。位置決めフレーム本体の外側フレームは保護フィルムを貼付する携帯電話の外側フレームの輪郭より大きく、位置決めフレーム本体の内側フレームは強化フィルムを貼付する外形の輪郭をフレーム内に収め、位置決めフレーム本体の内側フレームは強化フィルムを貼付する外形の輪郭に適合している。強化フィルムを貼付する場合、位置決めフレーム本体が携帯電話に置かれ、強化フィルムが位置決めフレーム本体の内側フレーム内に配置され、保護フィルムが正確に貼付される。
【図面の簡単な説明】
【００１７】
【図１】本考案の第１実施形態に係る保護フィルム貼付用補助装置を示す正面図である。
【図２】本考案の第２実施形態に係る保護フィルム貼付用補助装置を示す正面図である。
【図３】本考案の第３実施形態に係る保護フィルム貼付用補助装置を示す正面図である。
【図４】本考案の保護フィルム貼付用補助装置を示す側面図である。
【考案を実施するための形態】
【００１８】
以下、本考案の実施の形態について、図面を参照して詳細に説明する。なお、本考案は以下の例に限定されるものではなく、本考案の趣旨を逸脱しない範囲で、任意に変更可能であることは言うまでもない。
【実施例１】
【００１９】
図１及び図４は、本考案の第１実施形態に係る携帯電話保護フィルム貼付用補助装置を示す概略図である。前記携帯電話保護フィルム貼付用補助装置は位置決めフレーム本体１を備え、位置決めフレーム本体１は保護フィルムを貼付する携帯電話に貼付されると共に上端及び下端は開口部となる。位置決めフレーム本体１の外側フレームは保護フィルムを貼付する携帯電話の外側フレームの輪郭より大きく、位置決めフレーム本体１の内側フレーム１１は強化フィルムを貼付する外形の輪郭をフレーム内に収め、位置決めフレーム本体１の内側フレーム１１は強化フィルムを貼付する外形の輪郭に適合している。強化フィルムを貼付する際に位置決めフレーム本体１が携帯電話に置かれると共に位置決めフレーム本体１の内側フレーム１１内で保護フィルムが正確に貼付される。
【００２０】
上述したように、位置決めフレーム本体１には下に向けて延伸する下部フレーム１２が設けられ、且つ携帯電話の外側フレームの上下左右の四方向に同時に貼付され、位置決めフレーム本体１を確実に位置決めさせる。下部フレーム１２は携帯電話の外側フレームの上下左右の四方向を全面的にカバーし、位置決めフレーム本体１の位置決め効果を向上させる。
【００２１】
上述したように、位置決めフレーム本体１の上面の厚さは１ｍｍ未満であり、位置決めフレーム本体１の内側フレーム１１内で保護フィルムが正確に貼付可能となる。
【００２２】
上述したように、位置決めフレーム本体１の内側フレーム１１が保護フィルムを貼付する携帯電話の画面の輪郭に貼付される精度は０．１ｍｍ未満であり、位置決めフレーム本体１の内側フレーム１１内で保護フィルムが正確に貼付可能となる。
【００２３】
上述したように、位置決めフレーム本体１の内面には４つのパッド２が設けられ、パッド２は位置決めフレーム本体１の内面の四隅に位置し、携帯電話の表面が摩耗するのを防ぐ。
【００２４】
本考案の使用に際しては、位置決めフレーム本体１が携帯電話に置かれ、保護フィルムが位置決めフレーム本体１の内側フレーム１１内に配置され、保護フィルムが正確に貼付される。
【実施例２】
【００２５】
図２及び図４は、本考案の第２実施形態に係る保護フィルム貼付用補助装置を示す概略図である。前記携帯電話保護フィルム貼付用補助装置は位置決めフレーム本体１を備え、位置決めフレーム本体１は保護フィルムを貼付する携帯電話に貼付されると共に上端及び下端は開口部となる。位置決めフレーム本体１の外側フレームは保護フィルムを貼付する携帯電話の外側フレームの輪郭より大きく、位置決めフレーム本体１の内側フレーム１１は強化フィルムを貼付する外形の輪郭をフレーム内に収め、位置決めフレーム本体１の内側フレーム１１は強化フィルムを貼付する外形の輪郭に適合している。強化フィルムが貼付される際には、位置決めフレーム本体１が携帯電話に置かれると共に位置決めフレーム本体１の内側フレーム１１内で保護フィルムが正確に貼付される。
【００２６】
上述したように、位置決めフレーム本体１には下に向けて延伸する下部フレーム１２が設けられ、下部フレーム１２は携帯電話の外側フレームの上下左右の四方向に同時に貼付され、位置決めフレーム本体１を確実に位置決めさせる。下部フレーム１２は携帯電話の外側フレームの上下左右の四方向を全面的にカバーし、位置決めフレーム本体１の位置決め効果を高める。
【００２７】
上述したように、位置決めフレーム本体１の上面の厚さは１ｍｍ未満であり、位置決めフレーム本体１の内側フレーム１１内で保護フィルムを正確に貼付可能にする。
【００２８】
上述したように、位置決めフレーム本体１の内側フレーム１１が保護フィルムを貼付する携帯電話のカバープレートの輪郭に貼付される精度は０．１ｍｍ未満であり、位置決めフレーム本体１の内側フレーム１１内で保護フィルムを正確に貼付可能にする。
【００２９】
上述したように、位置決めフレーム本体１の内面には４つのパッド２が設けられ、パッド２は位置決めフレーム本体１の内面の四隅に位置し、携帯電話の表面が摩耗するのを防ぐ。
【００３０】
上述したように、位置決めフレーム本体１には第一の逃がし穴部３が更に設けられ、位置決めフレーム本体１の上端に位置すると共に逃がし穴が必要な範囲をカバーする。逃がし穴の範囲に貼付する必要がない場合でも、位置決めが正確になる。第一の逃がし穴部３及び位置決めフレーム本体１はフレキシブルに接続され、第一の逃がし穴部３と位置決めフレーム本体１の接続位置はフレキシブルで、反転させて第一の逃がし穴部３を調整可能である。
【００３１】
本考案を使用する場合、位置決めフレーム本体１を携帯電話に置き、保護フィルムを位置決めフレーム本体１の内側フレーム１１内に配置して保護フィルムを正確に貼付する。
【実施例３】
【００３２】
図３及び図４は、本考案の第３実施形態に係る保護フィルム貼付用補助装置を示す概略図である。前記携帯電話保護フィルム貼付用補助装置は位置決めフレーム本体１を備え、位置決めフレーム本体１は保護フィルムを貼付する携帯電話に貼付されると共に上端及び下端は開口部となる。位置決めフレーム本体１の外側フレームは保護フィルムを貼付する携帯電話の外側フレームの輪郭より大きく、位置決めフレーム本体１の内側フレーム１１は強化フィルムを貼付する外形の輪郭をフレーム内に収め、位置決めフレーム本体１の内側フレーム１１は強化フィルムを貼付する外形の輪郭に適合している。強化フィルムを貼付する場合、位置決めフレーム本体１が携帯電話に置かれると共に位置決めフレーム本体１の内側フレーム１１内で保護フィルムが正確に貼付可能になる。
【００３３】
上述したように、位置決めフレーム本体１には下に向けて延伸する下部フレーム１２が設けられ、下部フレーム１２は携帯電話の外側フレームの上下左右の四方向に同時に貼付され、位置決めフレーム本体１が確実に位置決めされる。下部フレーム１２は携帯電話の外側フレームの上下左右の四方向を全面的にカバーし、位置決めフレーム本体１の位置決め効果を高める。
【００３４】
上述したように、位置決めフレーム本体１の上面の厚さは１ｍｍ未満であり、位置決めフレーム本体１の内側フレーム１１内で保護フィルムを正確に貼付可能にする。
【００３５】
上述したように、位置決めフレーム本体１の内側フレーム１１が保護フィルムを貼付する携帯電話の画面の輪郭に貼付される精度は０．１ｍｍであり、位置決めフレーム本体１の内側フレーム１１内で保護フィルムを正確に貼付可能にする。
【００３６】
上述したように、位置決めフレーム本体１の内面には４つのパッド２が設けられ、パッド２は位置決めフレーム本体１の内面の四隅に位置し、携帯電話の表面が摩耗するのを防ぐ。
【００３７】
上述したように、位置決めフレーム本体１には第一の逃がし穴部３が更に設けられ、第一の逃がし穴部３は位置決めフレーム本体１の上端に位置すると共に逃がし穴が必要な範囲をカバーする。逃がし穴の範囲に貼付する必要がない場合でも、位置決めが正確になる。第一の逃がし穴部３及び位置決めフレーム本体１はフレキシブルに接続され、第一の逃がし穴部３と位置決めフレーム本体１の接続位置はフレキシブルで、反転させて第一の逃がし穴部３を調整可能である。
【００３８】
上述したように、位置決めフレーム本体１には第二の逃がし穴部４が更に設けられ、第二の逃がし穴部４は位置決めフレーム本体１の上端に位置すると共に逃がし穴が必要な範囲をカバーする。逃がし穴の範囲に貼付する必要がない場合でも、位置決めが正確になる。第二の逃がし穴部４及び位置決めフレーム本体１はフレキシブルに接続され、第二の逃がし穴部４と位置決めフレーム本体１の接続位置はフレキシブルで、反転させて第二の逃がし穴部４を調整可能である。
【００３９】
本考案を使用する場合、位置決めフレーム本体１を携帯電話に置き、保護フィルムを位置決めフレーム本体１の内側フレーム１１内に配置し、保護フィルムを正確に貼付する。
【００４０】
上述の実施形態は本考案の技術思想及び特徴を説明するためのものにすぎず、当業者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００４１】
１    フレーム本体
２    パッド
３    第一の逃がし穴部
４    第二の逃がし穴部
１１  内側フレーム
１２  下部フレーム
【図１】
0003223694.tif 000003
【図２】
0003223694.tif 000004
【図３】
0003223694.tif 000005
【図４】
0003223694.tif 000006